【事件の表示】
　特許第３６６５３２４号に関する訂正審判事件について、次のとおり審決する。
【結　論】
　特許第３６６５３２４号に係る明細書及び図面を本件審判請求書に添付された訂正明細書及び図面のとおり訂正することを認める。
【理　由】
１．請求の要旨
　本件審判の請求の要旨は、特許第３６６５３２４号発明（平成１４年１０月１５日国際出願、優先権主張平成１３年１０月１５日　平成１７年４月８日設定登録）の明細書を審判請求書に添付した訂正明細書のとおり、すなわち、下記（１）〜（４）のとおり訂正することを求めるものである。
　
（１）訂正事項１
　特許請求の範囲の請求項１〜７８を削除する。
　
（２）訂正事項２
　特許請求の範囲の請求項７９の「請求項１〜１３、１５〜２６、２８及び４２〜６９のいずれか１項に記載の抗体又はその機能的断片」について訂正前の請求項１〜１３、１５〜２６、２８及び４２〜６９のそれぞれの記載を引用し、以下のように訂正する。
　
「【請求項７９】　以下の（１）〜（５４）のいずれかに記載の抗体又はその機能的断片を有効成分として含有する、腫瘍の予防、治療又は診断剤：
（１）　ハイブリドーマHD8（受託番号 FERM BP-7773）が産生する、HLA-DRと結合する抗体又はその機能的断片；
（２）ハイブリドーマHD8（受託番号 FERM BP-7773）が産生する抗体の可変領域を有する、HLA-DRと結合する抗体又はその機能的断片；
（３）抗体のサブクラスが、IgGである上記（２）記載の抗体又はその機能的断片；
（４）IgGがIgG1である上記（３）記載の抗体又はその機能的断片；
（５）重鎖定常領域のアミノ酸配列を、改変した上記（４）記載の抗体又はその機能的断片；
（６）重鎖定常領域のアミノ酸配列の改変が、EUナンバリングシステムにおける331番目のアミノ酸のSerへの置換である上記（５）記載の抗体又はその機能的断片；
（７）IgGがIgG2である上記（３）記載の抗体又はその機能的断片；
（８）重鎖定常領域のアミノ酸配列を、改変した上記（７）記載の抗体又はその機能的断片；
（９）重鎖定常領域のアミノ酸配列の改変が、EUナンバリングシステムにおける331番目のアミノ酸のSerへの置換である上記（８）記載の抗体又はその機能的断片；
（１０）IgGがIgG3である上記（３）記載の抗体又はその機能的断片；
（１１）重鎖定常領域のアミノ酸配列を、改変した上記（１０）記載の抗体又はその機能的断片；
（１２）IgGがIgG4である上記（３）記載の抗体又はその機能的断片；
（１３）重鎖定常領域のアミノ酸配列を、改変した上記（１２）記載の抗体又はその機能的断片；
（１４）ハイブリドーマHD4（受託番号 FERM BP-7771）が産生する、HLA-DRと結合する抗体又はその機能的断片；
（１５）ハイブリドーマHD4（受託番号 FERM BP-7771）が産生する抗体の可変領域を有する、HLA-DRと結合する抗体又はその機能的断片；　（１６）抗体のサブクラスが、IgGである上記（１５）記載の抗体又はその機能的断片；
（１７）IgGがIgG1である上記（１６）記載の抗体又はその機能的断片；
（１８）重鎖定常領域のアミノ酸配列を、改変した上記（１７）記載の抗体又はその機能的断片；
（１９）IgGがIgG2である上記（１６）記載の抗体又はその機能的断片；
（２０）重鎖定常領域のアミノ酸配列を、改変した上記（１９）記載の抗体又はその機能的断片；
（２１）重鎖定常領域のアミノ酸配列の改変が、EUナンバリングシステムにおける331番目のアミノ酸のSerへの置換である上記（２０）記載の抗体又はその機能的断片；
（２２）IgGがIgG3である上記（１６）記載の抗体又はその機能的断片；
（２３）重鎖定常領域のアミノ酸配列を、改変した上記（２２）記載の抗体又はその機能的断片；
（２４）IgGがIgG4である上記（１６）記載の抗体又はその機能的断片；
（２５）重鎖定常領域のアミノ酸配列を、改変した上記（２４）記載の抗体又はその機能的断片；
（２６）ハイブリドーマHD10（受託番号 FERM BP-7774）が産生する、HLA-DRと結合する抗体又はその機能的断片；
（２７）配列番号２１及び２３で示されるアミノ酸配列のうち可変領域の成熟体部分のアミノ酸配列を有する可変領域を含む、HLA-DRと結合する抗体又はその機能的断片；
（２８）配列番号２０及び２２で示される塩基配列がコードするペプチドのうち可変領域の成熟体部分からなる可変領域を含む、HLA-DRと結合する抗体又はその機能的断片；
（２９）抗体のサブクラスが、IgGである上記（２７）記載の抗体又はその機能的断片；
（３０）IgGがIgG1である上記（２９）記載の抗体又はその機能的断片；
（３１）重鎖定常領域のアミノ酸配列を、改変した上記（３０）記載の抗体又はその機能的断片；
（３２）重鎖定常領域のアミノ酸配列の改変が、EUナンバリングシステムにおける331番目のアミノ酸のSerへの置換である上記（３１）記載の抗体又はその機能的断片；
（３３）サブクラスがIgG1でありEUナンバリングシステムにおける331番目のアミノ酸がSerへ置換された抗体HD8である抗体HD8G1Ser又はその機能的断片；
（３４）IgGがIgG2である上記（２９）記載の抗体又はその機能的断片；
（３５）重鎖定常領域のアミノ酸配列を、改変した上記（３４）記載の抗体又はその機能的断片；
（３６）重鎖定常領域のアミノ酸配列の改変が、EUナンバリングシステムにおける331番目のアミノ酸のSerへの置換である上記（３５）記載の抗体又はその機能的断片；
（３７）サブクラスがIgG2でありEUナンバリングシステムにおける331番目のアミノ酸がSerへ置換された抗体HD8である抗体HD8G2Ser又はその機能的断片；
（３８）IgGがIgG3である上記（２９）記載の抗体又はその機能的断片；
（３９）重鎖定常領域のアミノ酸配列を、改変した上記（３８）記載の抗体又はその機能的断片；
（４０）IgGがIgG4である上記（２９）記載の抗体又はその機能的断片；
（４１）重鎖定常領域のアミノ酸配列を、改変した上記（４０）記載の抗体又はその機能的断片；
（４２）配列番号１７及び１９で示されるアミノ酸配列のうち可変領域の成熟体部分のアミノ酸配列を有する可変領域を含む、HLA-DRと結合する抗体又はその機能的断片；
（４３）配列番号１６及び１８で示される塩基配列がコードするペプチドのうち可変領域の成熟体部分からなる可変領域を含む、HLA-DRと結合する抗体又はその機能的断片；
（４４）抗体のサブクラスが、IgGである上記（４２）記載の抗体又はその機能的断片；
（４５）IgGがIgG1である上記（４４）記載の抗体又はその機能的断片；
（４６）重鎖定常領域のアミノ酸配列を、改変した上記（４５）記載の抗体又はその機能的断片；
（４７）IgGがIgG2である上記（４４）記載の抗体又はその機能的断片；
（４８）重鎖定常領域のアミノ酸配列を、改変した上記（４７）記載の抗体又はその機能的断片；
（４９）重鎖定常領域のアミノ酸配列の改変が、EUナンバリングシステムにおける331番目のアミノ酸のSerへの置換である上記（４８）記載の抗体又はその機能的断片；
（５０）サブクラスがIgG2でありEUナンバリングシステムにおける331番目のアミノ酸がSerへ置換された抗体HD4である抗体HD4G2Ser又はその機能的断片；
（５１）IgGがIgG3である上記（４４）記載の抗体又はその機能的断片；
（５２）重鎖定常領域のアミノ酸配列を、改変した上記（５１）記載の抗体又はその機能的断片；
（５３）IgGがIgG4である上記（４４）記載の抗体又はその機能的断片；および
（５４）重鎖定常領域のアミノ酸配列を、改変した上記（５３）記載の抗体又はその機能的断片。」
（３）訂正事項３
　特許請求の範囲の請求項８１および８２の「請求項３０〜４０のいずれか１項に記載の抗体又はその機能的断片」について訂正前の請求項３０〜４０のそれぞれの記載を引用し、以下のように訂正する。
　
「【請求項８１】　下記（１）〜（１１）のいずれかに記載の抗体又はその機能的断片を有効成分として含有する免疫抑制剤：
（１）ハイブリドーマHD6（受託番号 FERM BP-7772）が産生する、HLA-DRと結合する抗体又はその機能的断片；
（２）ハイブリドーマHD6（受託番号 FERM BP-7772）が産生する抗体の可変領域を有する、HLA-DRと結合する抗体又はその機能的断片；
（３）抗体のサブクラスが、IgGである上記（２）記載の抗体又はその機能的断片；
（４）IgGがIgG1である上記（３）記載の抗体又はその機能的断片；
（５）重鎖定常領域のアミノ酸配列を、改変した上記（４）記載の抗体又はその機能的断片；
（６）IgGがIgG2である上記（３）記載の抗体又はその機能的断片；
（７）重鎖定常領域のアミノ酸配列を、改変した上記（６）記載の抗体又はその機能的断片；
（８）IgGがIgG3である上記（３）記載の抗体又はその機能的断片；
（９）重鎖定常領域のアミノ酸配列を、改変した上記（８）記載の抗体又はその機能的断片；
（１０）IgGがIgG4である上記（３）記載の抗体又はその機能的断片；および
（１１）重鎖定常領域のアミノ酸配列を、改変した上記（１０）記載の抗体又はその機能的断片。
【請求項８２】　下記（１）〜（１１）のいずれかに記載の抗体又はその機能的断片を有効成分として含有する自己免疫疾患又はアレルギーの予防、治療又は診断剤：
（１）ハイブリドーマHD6（受託番号 FERM BP-7772）が産生する、HLA-DRと結合する抗体又はその機能的断片；
（２）ハイブリドーマHD6（受託番号 FERM BP-7772）が産生する抗体の可変領域を有する、HLA-DRと結合する抗体又はその機能的断片；
（３）抗体のサブクラスが、IgGである上記（２）記載の抗体又はその機能的断片；
（４）IgGがIgG1である上記（３）記載の抗体又はその機能的断片；
（５）重鎖定常領域のアミノ酸配列を、改変した上記（４）記載の抗体又はその機能的断片；
（６）IgGがIgG2である上記（３）記載の抗体又はその機能的断片；
（７）重鎖定常領域のアミノ酸配列を、改変した上記（６）記載の抗体又はその機能的断片；
（８）IgGがIgG3である上記（３）記載の抗体又はその機能的断片；
（９）重鎖定常領域のアミノ酸配列を、改変した上記（８）記載の抗体又はその機能的断片；
（１０）IgGがIgG4である上記（３）記載の抗体又はその機能的断片；および
（１１）重鎖定常領域のアミノ酸配列を、改変した上記（１０）記載の抗体又はその機能的断片。　」
　
（４）訂正事項４
　特許請求の範囲の請求項７９〜８２の請求項番号をそれぞれ請求項１〜４と訂正する。
　
２．当審の判断
　訂正事項１は、訂正前の特許請求の範囲の請求項１〜７８を削除するものであるから、特許請求の範囲の減縮を目的とするものに該当する。
　そして、訂正事項１が、願書に添付した明細書又は図面に記載した事項の範囲内のものであり、実質上特許請求の範囲を拡張し、又は変更するものではないことは明らかである。　
　
　訂正事項２及び３は、引用例形式で記載された請求項を独立形式の記載に訂正し、上記訂正事項１との整合を図るものであるから、明りょうでない記載の釈明を目的とした明細書の訂正に該当する。そして、訂正事項２及び３が願書に添付した明細書に記載された事項の範囲内のものであり、また、実質上特許請求の範囲を拡張し、又は変更するものではないことは明らかである。
　
　訂正事項４は、訂正事項１に伴って、訂正前の特許請求の範囲の請求項７９〜８２の項数を繰り上げるものであるから、明りょうでない記載の釈明を目的とした明細書の訂正に該当する。そして、訂正事項４が願書に添付した明細書に記載された事項の範囲内のものであり、また、実質上特許請求の範囲を拡張し、又は変更するものではないことは明らかである。
　
　また、訂正後の特許請求の範囲に記載されている事項により特定される発明は、特許出願の際独立して特許を受けることができるものである。
　
３．むすび 
　以上のとおりであるから、本件審判の請求は、特許法第１２６条第１項第１号ないし第３号に掲げる事項を目的とし、かつ、同条第３項ないし第５項の規定に適合する。
　
　よって、結論のとおり審決する。